(57)【特許請求の範囲】
【請求項１】
開閉可能な一対のケースと、これらケース内に収納されると共に遊技機の製造業者を示す複数の社名が表示された制御基板と、前記ケースが取り付けられる固定台とを備え、
前記ケースの内部に外方へ突出する鍵部を有する目隠し板が取り付けられており、この目隠し板の取付位置に応じて前記複数の社名の１つが選択的に露呈されるようになし、前記固定台に正規位置で突出する前記鍵部のみを受け入れる鍵穴が設けられていることを特徴とする遊技機の基板ユニット。
【請求項２】
請求項１の記載において、前記固定台に取付位置を可変とする可動体が固定されており、この可動体に前記鍵穴が形成されていることを特徴とする遊技機の基板ユニット。
【発明の詳細な説明】
【技術分野】
【０００１】
本発明は、パチンコ機やスロットマシン等の遊技機に備えられる基板ユニットに関するものである。
【背景技術】
【０００２】
パチンコ機やスロットマシン等の遊技機には遊技の制御を司る種々の制御基板が設けられており、この制御基板には「遊技機の製造業者の社名」や「当該基板の型式を特定するための番号、記号その他の符号」を印刷することが義務付けられている。通常、この種の制御基板は上ケースと下ケース内に収納されることで基板ユニットとして構成されており、この基板ユニットは遊技機の裏面や筐体内部に着脱可能に取り付けられている。
【０００３】
近年、遊技機の分野でも部品の共通化が推進されており、例えばＡ社用とＢ社用のパチンコ機に対して一種類の制御基板を共通に使用することで、基板の製造コストを削減しようとする試みがなされている。この場合、制御基板には対応する製造業者の社名と型式識別標識を印刷する必要があるため、基板に搭載される回路構成の共通化は図れるとしても、Ａ社の製造業者識別標識と型式識別標識が印刷された基板と、Ｂ社の製造業者識別標識と型式識別標識が印刷された基板とを個別に製造して管理する必要がある。したがって、同一の制御内容を有する制御基板であるにも拘わらず、製造コストの大幅な低減化は困難となり、部品管理も煩雑になるという問題があった。
【０００４】
そこで、従来より、基板主体部の隅部に切断部を介して連接する複数の識別標識表示部を設けると共に、これら各識別標識表示部に製造業者名等を示す異なる識別標識（例えばＡ社用とＢ社用）を表示し、１つの切断部を除いて残りの切断部を基板主体部から切断することにより、任意の１つの識別標識表示部だけを基板主体部に一体に残すようにした制御基板が提案されている（例えば、特許文献１参照）。このように構成された制御基板では、Ａ社の識別標識が表示された識別標識表示部を切断して除去すればＢ社用の制御基板となり、Ｂ社の識別標識が表示された識別標識表示部を切断して除去すればＡ社用の制御基板となるため、同一の回路構成部品を搭載した一種類の制御基板を製造するだけで、異なる２つの製造業者に対して制御基板を供給することができる。
【先行技術文献】
【特許文献】
【０００５】
【特許文献１】特開２０１０−１４２４７１号公報
【発明の概要】
【発明が解決しようとする課題】
【０００６】
前述した従来技術によれば、不要な識別標識表示部を基板主体部から除去すると共に、必要な識別標識表示部だけを基板主体部に一体に残すことにより、一種類の制御基板を複数の製造会社用に共通に使用することができるため、基板の製造コストを削減することができる。しかしながら、不要とされる識別標識表示部を切断して基板主体部から除去することで所望の制御基板を得るようにしているため、例えばＢ社の識別標識が表示された識別標識表示部を除去してＡ社用の制御基板とした場合、この制御基板をＢ社用としてリユース（再使用）することはできず、循環型社会を構築するという昨今のトレンドに対応できていないという難点があった。
【０００７】
本発明は、このような従来技術の実情に鑑みてなされたもので、その目的は、一種類の制御基板を複数の会社間で共通に使用できると共に、異なる会社間でのリユースを可能にした遊技機の基板ユニットを提供することにある。
【課題を解決するための手段】
【０００８】
上記の目的を達成するために、本発明の基板ユニットは、開閉可能な一対のケースと、これらケース内に収納されると共に遊技機の製造業者を示す複数の社名が表示された制御基板と、前記ケースが取り付けられる固定台とを備え、前記ケースの内部に外方へ突出する鍵部を有する目隠し板が取り付けられており、この目隠し板の取付位置に応じて前記複数の社名の１つが選択的に露呈されるようになし、前記固定台に正規位置で突出する前記鍵部のみを受け入れる鍵穴が設けられているという構成にした。
【０００９】
このように構成された基板ユニットでは、制御基板を収納するケース内に取り付けられた目隠し板の取付位置に応じて複数の社名の１つが選択的に露呈されるため、一種類の制御基板を複数の会社間で共通に使用することができるだけでなく、目隠し板の鍵部が正規位置にあるケースだけを固定台に取り付け可能となっているため、不正行為に対するセキュリティ性を高めることができる。また、目隠し板のケースに対する取付位置を変更することにより、それまで目隠し板に隠されていた別の社名を露呈させることができるため、同一の制御基板を異なる複数の会社間でリユースすることが可能となる。
【００１０】
上記の構成において、鍵穴の形成位置を異にする複数種類の固定台を準備しておいても良いが、固定台に取付位置を可変とする可動体が固定されており、この可動体に鍵穴が形成されていると、可動体の固定台に対する取付位置を変更することにより、新たに正規の社名が分かるようにしたケースから突出する鍵部に鍵穴の位置を合わせることができるため、制御基板だけでなく固定台もリユースすることができる。
【発明の効果】
【００１１】
本発明による遊技機の基板ユニットは、制御基板を収納するケース内に取り付けられた目隠し板の取付位置に応じて複数の社名の１つが選択的に露呈されるため、一種類の制御基板を複数の会社間で共通に使用することができるだけでなく、目隠し板の鍵部が正規位置にあるケースだけを固定台に取り付け可能となっているため、不正行為に対するセキュリティ性を高めることができる。また、目隠し板のケースに対する取付位置を変更することにより、それまで目隠し板に隠されていた別の社名を露呈させることができるため、同一の制御基板を異なる複数の会社間でリユースすることが可能となる。
【図面の簡単な説明】
【００１２】
【図１】本発明の基板ユニットが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施形態例に係る基板ユニットの外観斜視図である。
【図５】図４の基板ユニットに備えられる基板ケースと固定台の斜視図である。
【図６】図５に示す基板ケースの平面図である。
【図７】図５に示す基板ケースの分解斜視図である。
【図８】図６の基板ケースに備えられる上ケースと制御基板の斜視図である。
【図９】図６の基板ケースに備えられる下ケースと目隠し板の斜視図である。
【図１０】図５に示す基板ケースの組立途中状態を示す斜視図である。
【図１１】目隠し板の取付位置と露呈される社名の関係を示す説明図である。
【図１２】図５に示す固定台の分解斜視図である。
【発明を実施するための形態】
【００１３】
発明の実施の形態について図面を参照して説明すると、図１に示すように、本発明の基板ユニットが取り付けられたパチンコ機（遊技機）Ｐは、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。
【００１４】
図２に示すように、機枠１の左側枠部には上側軸受け体５と下側軸受け体（図示せず）が固着されており、この下側軸受け体よりも下方の左下隅部には大型のスピーカ６が配設されている。一方、本体枠２の左側枠部の上下両端には第１ピン（図示せず）が設けられており、これら両第１ピンが対応する上下の軸受け体に軸支されることにより、本体枠２は機枠１に対して開閉自在となっている。
【００１５】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２はガラス扉３によって覆い隠される設置部２ｂとなっており、この設置部２ｂ内の下部中央には遊技球を遊技領域９に向けて発射する発射装置１０が配設されている。
【００１６】
本体枠２の右側枠部にはシリンダ錠１１ａを有する施錠装置１１が設置されており、図示省略されているが、この施錠装置１１は本体枠２の裏面に配置された後部施錠杆と本体枠２の前面に配置された前部施錠杆とを備えている。常態では、施錠装置１１の後部施錠杆により機枠１に対して本体枠２が施錠されると共に、施錠装置１１の前部施錠杆により本体枠２に対してガラス扉３が施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動してガラス扉３が開錠されるようになっている。
【００１７】
ガラス扉３の左側枠部の上下両端には第２ピン（図示せず）が設けられており、これら両第２ピンを本体枠２の上下の軸孔（図示せず）に挿入することにより、ガラス扉３は本体枠２に対して開閉自在となっている。図１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１２の右側方には発射装置１０の発射強度を調整するための操作ハンドル１６が配設されている。
【００１８】
図３に示すように、このパチンコ機Ｐの背面側には、遊技に関する主要な処理を行う主制御処理部１７と、主制御処理部１７からの指令を受けて可変表示装置やスピーカ等の各種装置を制御する副制御処理１８と、賞球払出装置１９と、主制御処理部１７からの指令を受けて賞球払出装置１９を制御する払出制御処理部２０と、操作ハンドル１６の回動量に応じて発射装置１０の作動を制御する発射制御処理部２１と、賞球数や大当たり回数等の各種情報を遊技場のホールコンピュータに出力する外部端子基板２２等が設けられている。
【００１９】
主制御処理部１７は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。後述するように、制御基板は基板ユニット１００の構成部品である基板ケース内に収納されており、この基板ケースが固定台を介して遊技盤７の裏面に支持されている。
【００２０】
次に、基板ユニット１００の詳細な構造について図４〜図１２を参照しながら説明すると、本実施形態例に係る基板ユニット（遊技機の基板ユニット）１００は、内部を目視可能な透明材料からなる基板ケース１０１と、この基板ケース１０１が取り付けられる固定台１０２とを備えている。
【００２１】
まず、基板ケース１０１について説明すると、この基板ケース１０１は矩形箱状の上ケース１０３と下ケース１０４とからなり、両ケース１０３，１０４はスライド嵌合によって重ね合わされるようになっている。そして、これら上ケース１０３と下ケース１０４の内部に収納空間が形成されており、この収納空間にＲＡＭ等が実装された前述の制御基板１０５が収納されている（図６参照）。
【００２２】
図７と図８に示すように、上ケース１０３の一隅部はシール装着部１０３ａとなっており、このシール装着部１０３ａ内に貫通孔１０３ｂが形成されている。制御基板１０５の一方の短辺側には突出部１０５ａが形成されており、この制御基板１０５は上ケース１０３の内部に図示せぬネジを用いて固定されるようになっている。制御基板１０５の表面には、前述した主制御処理部１７の回路構成部品やコネクタ等（いずれも図示せず）が実装される他、第１識別標識部１０６と第２識別標識部１０７が印刷されている。第１識別標識部１０６には「パチンコ機（遊技機）の製造業者の名称」を示す複数の社名が印刷されており、これら各社名は突出部１０５ａ上に形成されている。本実施形態例の場合、突出部１０５ａに制御基板１０５の短辺方向に沿って上から順に、製造業者が○○社であることを示す「○○」と、製造業者が△△社であることを示す「△△」と、製造業者が××社であることを示す「××」の３つが並記されている。また、第２識別標識部１０７には「当該基板の型式」を特定するための番号、記号その他の符号が印刷されており、この第２識別標識部１０７は制御基板１０５の任意位置に形成されている。
【００２３】
図９に示すように、下ケース１０４の一方の短辺側は載置部１０４ａとなっており、この載置部１０４ａ上に目隠し板１０８が搭載されるようになっている。また、下ケース１０４には載置部１０４ａから側方へ突出する位置決め突起１０４ｂが形成されると共に、載置部１０４ａ内にネジ孔１０４ｃと複数の位置決め溝１０４ｄが形成されている。本実施形態例の場合、３つの位置決め溝１０４ｄが一定の間隔を保って載置部１０４ａの上下方向に沿って配列されている。
【００２４】
目隠し板１０８は、載置部１０４ａ上に搭載される長板状の本体部１０８ａと、本体部１０８ａの上端部に形成された円柱状の鍵部１０８ｂとで構成されており、鍵部１０８ｂは本体部１０８ａの長手方向と直交する方向へ延びている。本体部１０８ａには矩形状の窓孔１０８ｃと３つの取付孔１０８ｄが形成されており、本体部１０８ａの裏面には凸部（図示せず）が形成されている。そして、この凸部を任意の位置決め突起１０４ｂに嵌め込むことにより、本体部１０８ａは下ケース１０４の短手方向（図９の矢印Ａ−Ａ方向）に沿って載置部１０４ａ上の所定位置に位置決めされる。鍵部１０８ｂは下ケース１０４の上部外方へ突出しており、本体部１０８ａの載置部１０４ａに対する取付位置が変わると、それに応じて鍵部１０８ｂの下ケース１０４に対する突出量も変化する。具体的には、目隠し板１０８を下ケース１０４に対して図１１（ａ）〜（ｃ）に示す３位置に取り付けることができ、位置決め突起１０４ｂと鍵部１０８ｂ間の距離は、図１１（ａ）に示す取付位置で最小のＬ１、図１１（ｂ）に示す取付位置で中間のＬ２、図１１（ｃ）に示す取付位置で最大のＬ３となる。
【００２５】
下ケース１０４の載置部１０４ａと目隠し板１０８の本体部１０８ａとの間には若干のスペースが確保されており、上ケース１０３と下ケース１０４をスライド嵌合によって重ね合わせることによって、このスペース内に制御基板１０５の突出部１０５ａが挿入されるようになっている（図６参照）。その際、目隠し板１０８の載置部１０４ａに対する取付位置に応じて、突出部１０５ａ上に印刷された第１識別標識部１０６の複数の社名の１つが窓孔１０８ｃから露出し、残り２つの社名が本体部１０８ａによって隠蔽される。具体的には、窓孔１０８ｃから露出する第１識別標識部１０６の社名は、図１１（ａ）に示す目隠し板１０８の取付位置で「××」、図１１（ｂ）に示す目隠し板１０８の取付位置で「△△」、図１１（ｃ）に示す目隠し板１０８の取付位置で「○○」となる。また、目隠し板１０８の取付位置に応じて１つの取付孔１０８ｄが下ケース１０４のネジ孔１０４ｃと重なるようになっており、上ケース１０３と下ケース１０４をスライド嵌合によって重ね合わせた後、ねじ１０９を上ケース１０３の貫通孔１０３ｂから取付孔１０８ｄに挿入してネジ孔１０４ｃに螺入することにより、上ケース１０３と下ケース１０４が目隠し板１０８を挟持した状態で一体化されて基板ケース１０１を構成するようになっている。
【００２６】
図７に示すように、この基板ケース１０１に対し上ケース１０３のシール装着部１０３ａと下ケース１０４の裏面に跨がるように封印シール１１０が貼り付けられ、この封印シール１１０によって両ケース１０３，１０４を固定しているねじ１０９が覆われるようになっている。封印シール１１０は裏面に粘着層が形成された矩形状のベースシートを備えた公知のものであり、詳細については説明を省略するが、粘着層にはＩＣタグが埋め込まれている。このＩＣタグは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。なお、封印シール１１０のベースシートは手指を用いて簡単に破ることが可能であり、ベースシートを破ることによってＩＣタグも同時に切断される。
【００２７】
さらに、基板ケース１０１に対して封印シール１１０を覆うように上シールカバー１１１と下シールカバー１１２が固定され、これによって両ケース１０３，１０４は制御基板１０５を収納した状態で封印される。平板状の上シールカバー１１１は透明な樹脂成形品からなり、この上シールカバー１１１は上ケース１０３のシール装着部１０３ａに超音波溶着により固定されている。上シールカバー１１１には切除容易部１１１ａが形成されており、この切除容易部１１１ａは円形孔の内周面に十字状の桟部を連続させた形状に形成されている。そして、上シールカバー１１１をシール装着部１０３ａに超音波溶着すると、貫通孔１０３ｂの真上に切除容易部１１１ａが位置するようになっている。一方、下シールカバー１１２は断面Ｌ字状に形成されており、この下シールカバー１１２も下ケース１０４に超音波溶着により固定されている。
【００２８】
次に、固定台１０２について説明すると、図５と図１２に示すように、この固定台１０２は、遊技盤７の裏面に強固に取り付けられた縦長形状の支持本体１１３と、支持本体１１３の上部側面にかしめピン１１４を用いて固定される可動体１１５とで構成されている。支持本体１１３の上部前面には３つの取付孔１１３ａが上下方向に沿って一列に形成されており、これら取付孔１１３ａの配列ピッチ（間隔）は前述した下ケース１０４の位置決め溝１０４ｄの配列ピッチと同じに設定されている。また、支持本体１１３の上部前面には「パチンコ機（遊技機）の製造業者の名称」を示す複数の社名が固定側識別標識部１１６として刻印されており、この固定側識別標識部１１６は各取付孔１１３ａの側方に近接して形成されている。固定側識別標識部１１６の各社名は制御基板１０５の第１識別標識部１０６に対応しており、本実施形態例の場合、最上段の取付孔１１３ａの側方に「○○社」、中央の取付孔１１３ａの側方に「△△社」、最下段の取付孔１１３ａの側方に「××社」がそれぞれ刻印されている。一方、支持本体１１３の上部側面には切欠き部１１７が形成されており、この切欠き部１１７は上下方向に延びるスリット１１７ａを有している。さらに、支持本体１１３の下部側面には位置決め孔１１８が形成されており、この位置決め孔１１８に対して下ケース１０４の位置決め突起１０４ｂが挿入されるようになっている。
【００２９】
可動体１１５は、前後方向に対向する前面板１１５ａおよび後面板１１５ｂと、これら前面板１１５ａと後面板１１５ｂを繋ぐ長方形状の側板部１１５ｃとで構成されており、前面板１１５ａはスリット１１７ａ内に上下動可能に挿入されている。前面板１１５ａには保持孔１１９が形成されており、前面板１１５ａをスリット１１７ａに沿って上下動させることにより、保持孔１１９を各取付孔１１３ａの１つと選択的に一致させることができるようになっている。そして、保持孔１１９を任意の取付孔１１３ａに一致させた状態で、当該取付孔１１３ａに対して支持本体１１３の前方からかしめピン１１４を挿入し、このかしめピン１１４の先端を保持孔１１９に嵌め込むことにより、可動体１１５の支持本体１１３に対する取付位置を複数位置（本実施形態例では３位置）に変更可能となっている。なお、かしめピン１１４の先端が矢尻状に形成されているため、かしめピン１１４の頭部等を破壊しない限り、保持孔１１９に嵌め込まれたかしめピン１１４を取付孔１１３ａから抜き取ることはできない。また、各取付孔１１３ａの側方位置に固定側識別標識部１１６の社名が刻印されているため、取付孔１１３ａを塞ぐかしめピン１１４の頭部とその側方の社名を目視することにより、いずれの会社用の固定台１０２であるかを瞬時に判断することができる。
【００３０】
可動体１１５の側板部１１５ｃには丸孔形状の鍵穴１２０が形成されており、この鍵穴１２０に基板ケース１０１から突出する目隠し板１０８の鍵部１０８ｂが挿入されるようになっている。ただし、固定台１０２における鍵穴１２０と位置決め孔１１８間の距離が、固定台１０２に取り付けようとする基板ケース１０１の鍵部１０８と位置決め突起１０４ｂ間の距離（Ｌ１，Ｌ２，Ｌ３）と一致していない場合、目隠し板１０８の鍵部１０８ｂを可動体１１５の鍵穴１２０に挿入することができないため、この場合は当該基板ケース１０１を固定台１０２に取り付けることはできなくなる。
【００３１】
前述したような目隠し板１０８を用いて複数の製造業者名の中から１つ、例えば「××」社用の基板ケース１０１を製造する場合について説明する。まず、制御基板１０５を上ケース１０３の内部に図示せぬネジを用いて固定すると共に、目隠し板１０８の本体部１０８ａを下ケース１０４の載置部１０４ａの最下位置に搭載し、鍵部１０８ｂを最も少ない突出量で下ケース１０４の上部外方へ突出させる。次いで、上ケース１０３と下ケース１０４をスライド嵌合によって重ね合わせ（図１０参照）、図６に示すように、上ケース１０３に固定された制御基板１０５の突出部１０５ａを下ケース１０４の載置部１０４ａと本体部１０８ａ間のスペース内に挿入する。これにより、図１１（ａ）に示すように、第１識別標識部１０６の複数の社名の１つ「××」が目隠し板１０８の窓孔１０８ｃから露出し、残り２つの社名「△△」と「○○」が本体部１０８ａによって隠蔽される。このとき、下ケース１０４の側面に形成された位置決め突起１０４ｂと目隠し板１０８の鍵部１０８ｂ間の距離は最小値Ｌ１となる。
【００３２】
次いで、ねじ１０９を用いて上ケース１０３と下ケース１０４および目隠し板１０８の三者を一体化した後、ねじ１０９の上から封印シール１１０を上ケース１０３のシール装着部１０３ａと下ケース１０４の裏面に跨がるように貼り付ける（図７参照）。その後、封印シール１１０の上から上シールカバー１１１と下シールカバー１１２を被せ、これら両シールカバー１１１，１１２を対応するケース１０３，１０４に超音波溶着して固定する（図５参照）。これにより基板ケース１０１（上ケース１０３と下ケース１０４）の封印が完了し、この状態で目隠し板１０８の窓孔１０８ｃ内に露呈する社名「××」のみが透明な上ケース１０３を通して目視されるため、この基板ケース１０１は「××」社用の制御基板１０５を収納した基板ケースとして製造される。
【００３３】
このようにして製造された基板ケース１０１を固定台１０２に取り付けるためには、固定台１０２も「××」社用の固定台であること、すなわち、基板ケース１０１の側方へ突出する目隠し板１０８の鍵部１０８ｂと位置決め突起１０４ｂをそれぞれ固定台１０２の鍵穴１２０と位置決め孔１１８に挿入できなくてはならない。「××」社用の固定台１０２を製造するには、可動体１１５を支持本体１１３のスリット１１７ａに沿って上下動させ、保持孔１１９が最下段の取付孔１１３ａと一致した位置で当該取付孔１１３ａにかしめピン１１４を挿入し、このかしめピン１１４の先端を保持孔１１９に嵌め込めば良い。その結果、図５に示すように、可動体１１５が支持本体１１３に対して最下部の取付位置で固定されるため、固定台１０２における鍵穴１２０と位置決め孔１１８間の距離が、基板ケース１０１における鍵部１０８と位置決め突起１０４ｂ間の距離Ｌ１と等しくなり、この固定台１０２は「××」社用の固定台となる。したがって、かかる「××」社用の固定台１０２の鍵穴１２０と位置決め孔１１８に対して、「××」社用として製造した基板ケース１０１の鍵部１０８ｂと位置決め突起１０４ｂをそれぞれ挿入することにより、図４に示すように、固定台１０２に基板ケース１０１が取り付けられた「××」社用の基板ユニット１００を得ることができる。
【００３４】
なお、「△△」社用の基板ユニット１００を得るためには、「△△」社用の基板ケース１０１と「△△」社用の固定台１０２を製造する必要がある。「△△」社用の基板ケース１０１を製造する場合は、目隠し板１０８の本体部１０８ａを下ケース１０４の載置部１０４ａの中間位置に搭載し、図１１（ｂ）に示すように、目隠し板１０８の窓孔１０８ｃ内に「△△」を露呈させると共に、鍵部１０８ｂと位置決め突起１０４ｂ間の距離を中間値Ｌ２に設定すれば良く、それ以外は「××」社用の基板ケース１０１を製造する場合と同じである。一方、固定台１０２については、かしめピン１１４を真中の取付孔１１３ａに挿入して可動体１１５の保持孔１１９に嵌め込むと、可動体１１５が支持本体１１３に対して中間部の取付位置で固定され、それによって鍵穴１２０と位置決め孔１１８間の距離が基板ケース１０１における鍵部１０８と位置決め突起１０４ｂ間の距離Ｌ２と等しくなるため、この固定台１０２は「△△」社用の固定台となる。したがって、かかる「△△」社用の固定台１０２の鍵穴１２０と位置決め孔１１８に対して、「△△」社用として製造した基板ケース１０１の鍵部１０８ｂと位置決め突起１０４ｂをそれぞれ挿入することにより、固定台１０２に基板ケース１０１が取り付けられた「△△」社用の基板ユニット１００を得ることができる。
【００３５】
同様に、「○○」社用の基板ユニット１００を得るためには、「○○」社用の基板ケース１０１と「○○」社用の固定台１０２を製造する必要がある。「○○」社用の基板ケース１０１を製造する場合は、目隠し板１０８の本体部１０８ａを下ケース１０４の載置部１０４ａの最上位置に搭載し、図１１（ｃ）に示すように、目隠し板１０８の窓孔１０８ｃ内に「○○」を露呈させると共に、鍵部１０８ｂと位置決め突起１０４ｂ間の距離を最大値Ｌ３に設定すれば良く、それ以外は「××」や「△△」社用の基板ケース１０１を製造する場合と同じである。一方、固定台１０２については、かしめピン１１４を最上段の取付孔１１３ａに挿入して可動体１１５の保持孔１１９に嵌め込むと、可動体１１５が支持本体１１３に対して最上部の取付位置で固定され、それによって鍵穴１２０と位置決め孔１１８間の距離が基板ケース１０１における鍵部１０８と位置決め突起１０４ｂ間の距離Ｌ３と等しくなるため、この固定台１０２は「○○」社用の固定台となる。したがって、かかる「○○」社用の固定台１０２の鍵穴１２０と位置決め孔１１８に対して、「○○」社用として製造した基板ケース１０１の鍵部１０８ｂと位置決め突起１０４ｂをそれぞれ挿入することにより、固定台１０２に基板ケース１０１が取り付けられた「○○」社用の基板ユニット１００を得ることができる。
【００３６】
以上説明したように、本実施形態例に係る基板ユニット１００では、基板ケース１０１に対する目隠し板１０８の取付位置に応じて、制御基板１０５に印刷された複数の社名の１つが窓孔１０８ｃから選択的に露呈されるようになっているため、回路構成等を同じくする一種類の制御基板１０５を複数の会社間で共通に使用することができ、各会社毎に製造基板を個別に製造する場合に比べると、部品管理を含めたトータルの製造コストを大幅に低減することができる。しかも、基板ケース１０１から突出する鍵部１０８ｂの位置が目隠し板１０８の取付位置に応じて変化し、正規位置で突出する鍵部１０８ｂのみが固定台１０２の鍵穴１２０に挿入許可されるようになっているため、正規の社名が分かるようにした基板ケース１０１しか固定台１０２に取り付けることができず、不正行為に対するセキュリティ性を高めることができる。また、例えば「××」社専用のパチンコ機（遊技機）に使用されていた制御基板１０５を別の「△△」社や「○○」社用としてリユース（再使用）する場合、基板ケース１０１（上ケース１０３と下ケース１０４）を開封して目隠し板１０８の取付位置を変更すれば、目隠し板１０８の窓孔１０８ｃ内に別の社名を露呈させることができるため、異なる複数の会社間でのリユースが可能となる。
【００３７】
また、固定台１０２の支持本体１１３に設けられた複数の取付孔１１３ａの１つにかしめピン１１４を嵌め込むことにより、鍵穴１２０を有する可動体１１５が支持本体１１３に対して取付位置を変えられるようになっているため、例えば「××」社専用のパチンコ機（遊技機）に使用されていた固定台１０２を別の「△△」社や「○○」社用としてリユース（再使用）する場合、かしめピン１１４を破壊して取付孔１１３ａから取り除いた後、可動体１１５の取付位置を変更して新たなかしめピン１１４を別の取付孔１１３ａに嵌め込めば良く、制御基板１０５だけでなく固定台１０２もリユースすることができる。しかも、各取付孔１１３ａの側方には制御基板１０５の第１識別標識部１０６に対応する社名が表示されているため、取付孔１１３ａに嵌め込まれたピン１１４の頭部とその側方に表示された社名を目視することにより、いずれの会社用の固定台１０２であるかを瞬時に判断することができる。
【００３８】
なお、上記実施形態例において、制御基板１０５に第１識別標識部１０６や第２識別標識部１０７とは別に図示せぬ第３識別標識部を設け、この第３識別標識部に「当該基板の管理情報」を示すデータをＱＲコード（登録商標）やバーコードとして印刷したり、ＩＣチップとして基板に埋め込むようにしても良く、このような第３識別標識部を設けておくと、仮に目隠し板１０８が基板ケース１０１から不正に取り外されて第１識別標識部１０６の全ての社名が露呈したとしても、この第３識別標識部のデータから制御基板１０５の管理情報を確認することができる。
【００３９】
また、上記実施形態例では、本発明の基板ユニット１００をパチンコ機Ｐに適用した場合について説明したが、スロットマシン等の他の遊技機についても同様に適用可能であることは言うまでもない。
【符号の説明】
【００４０】
７  遊技盤
１００  基板ユニット
１０１  基板ケース
１０２  固定台
１０３  上ケース
１０４  下ケース
１０４ａ  載置部
１０４ｂ  位置決め突起
１０４ｃ  ネジ孔
１０４ｄ  位置決め溝
１０５  制御基板
１０５ａ  突出部
１０６  第１識別標識部
１０８  目隠し板
１０８ａ  本体部
１０８ｂ  鍵部
１０８ｃ  窓孔
１０８ｄ  取付孔
１１０  封印シール
１１１  上シールカバー
１１２  下シールカバー
１１３  支持本体
１１３ａ  取付孔
１１４  かしめピン
１１５  可動体
１１６  固定側識別標識部
１１７  切欠き部
１１７ａ  スリット
１１８  位置決め孔
１１９  保持孔
１２０  鍵穴
Ｐ  パチンコ機（遊技機）
【図１】
0005671361.tif 000002
【図２】
0005671361.tif 000003
【図４】
0005671361.tif 000004
【図５】
0005671361.tif 000005
【図６】
0005671361.tif 000006
【図７】
0005671361.tif 000007
【図８】
0005671361.tif 000008
【図９】
0005671361.tif 000009
【図１０】
0005671361.tif 000010
【図１１】
0005671361.tif 000011
【図１２】
0005671361.tif 000012
【図３】
0005671361.tif 000013